(57)【要約】【課題】製造コストを抑制しつつ各種の使用態様に適合させることができるシリンジ用キャップを提供する。【解決手段】シリンジ用キャップは、シリンジのバレル１０Ａのノズル部１２に対して着脱自在に取付けが可能に構成された弾性部材からなる弾性栓体３０と、弾性栓体３０への取付けが可能に構成された硬質部材からなるカバー体４０とを含む。弾性栓体３０は、栓部３１と、鍔部３２とを有する。カバー体４０は、栓部３１を取り囲む筒状部４１を含む有底筒状の部材からなり、筒状部４１には、弾性栓体３０に取付けられた状態において鍔部３２を係止する係止部が周方向に沿って複数設けられる。複数の係止部の各々は、筒状部４１に切り欠き部４１ｂを形成することで弾性変形可能に構成された片持ち梁部４４と、片持ち梁部４４の先端から立設されることで鍔部３２に掛かり止め可能に構成された爪部４５とを含む。【選択図】図９
2015167618.tif 000002
【特許請求の範囲】
【請求項１】
バレルおよびプランジャを含むシリンジと、前記バレルのノズル部に設けられた吐出口を閉塞することが可能なシリンジ用キャップとを備えたシリンジセットであって、
前記シリンジ用キャップは、前記ノズル部に対して着脱自在に取付けが可能に構成された弾性部材からなる弾性栓体と、前記弾性栓体への取付けが可能に構成された硬質部材からなるカバー体とを含み、
前記弾性栓体は、前記ノズル部に取付けられた状態において、軸方向の一端において前記吐出口を覆う栓部と、前記栓部の外周面から外側に向けて突設された鍔部とを有し、
前記カバー体は、前記弾性栓体に取付けられた状態において、前記栓部を取り囲む筒状部と、前記弾性栓体に取付けられた状態において、前記栓部の前記一端とは反対側に位置する他端を覆う底部とを有する有底筒状の部材からなり、
前記筒状部には、前記カバー体が前記弾性栓体に取付けられた状態において、前記鍔部を係止する係止部が周方向に沿って複数設けられ、
前記複数の係止部の各々は、前記筒状部に切り欠き部を形成することで前記筒状部の軸方向に沿って延在するように設けられることにより、前記筒状部の径方向において弾性変形可能に構成された片持ち梁部と、前記片持ち梁部の先端から前記筒状部の径方向内側に向けて立設されることにより、前記鍔部に掛かり止め可能に構成された爪部とを含んでいる、シリンジセット。
【請求項２】
前記カバー体が前記弾性栓体に取付けられた状態において、前記鍔部の外周面に当接する第１突起部が、前記筒状部の内周面上に周方向において複数設けられている、請求項１に記載のシリンジセット。
【請求項３】
前記バレルが、前記ノズル部を取り囲む筒状のルアーロック部を有し、
前記弾性栓体が前記ノズル部に取付けられた状態において、前記栓部の前記一端が、前記ノズル部と前記ルアーロック部との間に介挿され、
前記弾性栓体が前記ノズル部に取付けられるとともに前記カバー体が前記弾性栓体に取付けられた状態において、前記ルアーロック部の外周面に当接して配置されるかまたは接近して配置される第２突起部が、前記筒状部の内周面上に周方向において複数設けられている、請求項２に記載のシリンジセット。
【請求項４】
前記筒状部の軸方向に沿って延在する突条部が、前記筒状部の内周面上に周方向において複数設けられ、
前記複数の突条部の各々が、前記第１突起部および前記第２突起部を構成している、請求項３に記載のシリンジセット。
【請求項５】
前記複数の係止部が、前記筒状部の周方向に沿って均等に４つ設けられている、請求項１から４のいずれかに記載のシリンジセット。
【請求項６】
請求項１から５のいずれかに記載のシリンジセットと、
薬剤とを備え、
前記プランジャが前記バレルに取付けられるとともに、前記弾性栓体が前記ノズル部に取付けられることにより、前記薬剤が、前記バレル内に密封された状態で充填されている、プレフィルドシリンジセット。
【請求項７】
前記カバー体が、前記弾性栓体にさらに取付けられている、請求項６に記載のプレフィルドシリンジセット。
【請求項８】
シリンジのバレルのノズル部に設けられた吐出口を閉塞することが可能なシリンジ用キャップであって、
シリンジのバレルのノズル部に対して着脱自在に取付けが可能に構成された弾性部材からなる弾性栓体と、前記弾性栓体への取付けが可能に構成された硬質部材からなるカバー体とを含み、
前記弾性栓体は、シリンジのバレルのノズル部に取付けられた状態において、軸方向の一端においてシリンジのノズル部に設けられた吐出口を覆うことが可能な栓部と、前記栓部の外周面から外側に向けて突設された鍔部とを有し、
前記カバー体は、前記弾性栓体に取付けられた状態において、前記栓部を取り囲む筒状部と、前記弾性栓体に取付けられた状態において、前記栓部の前記一端とは反対側に位置する他端を覆う底部とを有する有底筒状の部材からなり、
前記筒状部には、前記カバー体が前記弾性栓体に取付けられた状態において、前記鍔部を係止する係止部が周方向に沿って複数設けられ、
前記複数の係止部の各々は、前記筒状部に切り欠き部を形成することで前記筒状部の軸方向に沿って延在するように設けられることにより、前記筒状部の径方向において弾性変形可能に構成された片持ち梁部と、前記片持ち梁部の先端から前記筒状部の径方向内側に向けて立設されることにより、前記鍔部に掛かり止め可能に構成された爪部とを含んでいる、シリンジ用キャップ。
【請求項９】
シリンジのバレルのノズル部に対して着脱自在に取付けが可能に構成された弾性部材からなる弾性栓体への取付けが可能に構成されたシリンジ用キャップのカバー体であって、
弾性栓体に取付けられた状態において、シリンジのバレルのノズル部に設けられた吐出口を軸方向の一端において覆うことが可能な弾性栓体の栓部を取り囲むことが可能な筒状部と、弾性栓体に取付けられた状態において、シリンジのバレルのノズル部に設けられた吐出口を覆うことが可能な栓部の軸方向の一端とは反対側に位置する栓部の軸方向の他端を覆うことが可能な底部とを有する硬質部材からなる有底筒状の部材からなり、
前記筒状部には、弾性栓体に取付けられた状態において、弾性栓体の栓部の外周面から外側に向けて突設された鍔部を係止することが可能な係止部が周方向に沿って複数設けられ、
前記複数の係止部の各々は、前記筒状部に切り欠き部を形成することで前記筒状部の軸方向に沿って延在するように設けられることにより、前記筒状部の径方向において弾性変形可能に構成された片持ち梁部と、前記片持ち梁部の先端から前記筒状部の径方向内側に向けて立設されることにより、弾性栓体の栓部の外周面から外側に向けて突設された鍔部に掛かり止め可能に構成された爪部とを含んでいる、シリンジ用キャップのカバー体。
【発明の詳細な説明】
【技術分野】
【０００１】
本発明は、シリンジのバレルへの取付けが可能に構成されたシリンジ用キャップ、当該シリンジ用キャップに具備されるシリンジ用キャップのカバー体（以下、単にカバー体とも称する）、当該シリンジ用キャップを備えたシリンジセット、および、当該シリンジ用キャップを備えたプレフィルドシリンジセットに関する。
【背景技術】
【０００２】
従来、シリンジのバレルのノズル部に設けられた吐出口を閉塞するためのシリンジ用キャップとして、弾性部材からなる弾性栓体が利用されている。当該弾性栓体は、予め薬剤が充填されているプレフィルドシリンジにおいては、当該薬剤を密封するためにバレルに取付けられることで具備されており、予め薬剤が充填されていないシリンジセットにおいては、付属品として具備される場合がある。
【０００３】
また、特開２０１３−７８４４３号公報（特許文献１）には、シリンジ用キャップとして、上述した弾性栓体に加えてこれを覆うように設けられた硬質部材からなるカバー体を備えてなるものが開示されている。上記特許文献１に開示されたカバー体は、プレフィルドシリンジが既に開封されたものであるか否かを判別する目的で具備されたものであるが、シリンジ用キャップの取り外しの際に当該カバー体を保持することにより、弾性栓体を直接手指で持つ必要がなくなるため、薬剤が手指に付着してしまうことが防止できたり、容易にシリンジ用キャップを取り外すことができたりするといった副次的な効果を奏するものでもある。
【先行技術文献】
【特許文献】
【０００４】
【特許文献１】特開２０１３−７８４４３号公報
【発明の概要】
【発明が解決しようとする課題】
【０００５】
一般に、シリンジセットやプレフィルドシリンジの使用態様を考慮した場合には、必ずしも既に開封されたものであるか否かを判別する必要がないケースや、薬剤が手指に付着しても特に支障がないケースも想定される。また、予め弾性栓体のみがシリンジのバレルに取付けられた状態とされ、その後に必要に応じてカバー体を弾性栓体に取付けるといったような使用態様も想定される。
【０００６】
また、製造の観点から見た場合には、各種の使用態様を考慮してそれぞれの使用態様に適した製品ラインアップを構築するに当たり、共通の部品として弾性栓体やカバー体の設計を予め行なっておき、製品種毎に当該共通の部品の組付けの有無や付属品としての付帯の有無を選択可能にすることにより、部品の融通性が向上する効果が得られるばかりでなく、製造コストを大幅に削減する効果も得られることになる。
【０００７】
以上の状況に照らした場合に、上記特許文献１に開示されたカバー体は、予め弾性栓体に対して取り外し不能に嵌着されてなるものであり、予め弾性栓体のみがシリンジのバレルに取付けられた状態において後からこれを取付けることができるように構成されたものではない。そのため、特定の使用態様下においては有益なものであるものの、上述したような各種の使用態様のすべてに適合したものとは言えず、また、各種の製品ラインアップを構築するに当たり、部品の融通性に乏しいものとなってしまい、製造コストの増大に繋がってしまうものでもある。
【０００８】
したがって、本発明は、上述した問題点を解決すべくなされたものであり、製造コストを抑制しつつ各種の使用態様に適合させることができるシリンジ用キャップ、当該シリンジ用キャップに具備されるシリンジ用キャップのカバー体、当該シリンジ用キャップを備えたシリンジセット、および、当該シリンジ用キャップを備えたプレフィルドシリンジセットを提供することを目的とする。
【課題を解決するための手段】
【０００９】
本発明に基づくシリンジセットは、バレルおよびプランジャを含むシリンジと、上記バレルのノズル部に設けられた吐出口を閉塞することが可能なシリンジ用キャップとを備えている。上記シリンジ用キャップは、上記ノズル部に対して着脱自在に取付けが可能に構成された弾性部材からなる弾性栓体と、上記弾性栓体への取付けが可能に構成された硬質部材からなるカバー体とを含んでいる。上記弾性栓体は、上記ノズル部に取付けられた状態において、軸方向の一端において上記吐出口を覆う栓部と、上記栓部の外周面から外側に向けて突設された鍔部とを有している。上記カバー体は、上記弾性栓体に取付けられた状態において、上記栓部を取り囲む筒状部と、上記弾性栓体に取付けられた状態において、上記栓部の上記一端とは反対側に位置する他端を覆う底部とを有する有底筒状の部材からなる。上記筒状部には、上記カバー体が上記弾性栓体に取付けられた状態において、上記鍔部を係止する係止部が周方向に沿って複数設けられている。上記複数の係止部の各々は、上記筒状部に切り欠き部を形成することで上記筒状部の軸方向に沿って延在するように設けられることにより、上記筒状部の径方向において弾性変形可能に構成された片持ち梁部と、上記片持ち梁部の先端から上記筒状部の径方向内側に向けて立設されることにより、上記鍔部に掛かり止め可能に構成された爪部とを含んでいる。
【００１０】
上記本発明に基づくシリンジセットにあっては、上記カバー体が上記弾性栓体に取付けられた状態において、上記鍔部の外周面に当接する第１突起部が、上記筒状部の内周面上に周方向において複数設けられていることが好ましい。
【００１１】
上記本発明に基づくシリンジセットにあっては、上記バレルが、上記ノズル部を取り囲む筒状のルアーロック部を有していてもよい。その場合には、上記弾性栓体が上記ノズル部に取付けられた状態において、上記栓部の上記一端が、上記ノズル部と上記ルアーロック部との間に介挿されることが好ましく、その場合に、上記弾性栓体が上記ノズル部に取付けられるとともに上記カバー体が上記弾性栓体に取付けられた状態において、上記ルアーロック部の外周面に当接して配置されるかまたは接近して配置される第２突起部が、上記筒状部の内周面上に周方向において複数設けられていることが好ましい。
【００１２】
上記本発明に基づくシリンジセットにあっては、上記筒状部の軸方向に沿って延在する突条部が、上記筒状部の内周面上に周方向において複数設けられていることが好ましく、その場合に、上記複数の突条部の各々が、上記第１突起部および上記第２突起部を構成していることが好ましい。
【００１３】
上記本発明に基づくシリンジセットにあっては、上記複数の係止部が、上記筒状部の周方向に沿って均等に４つ設けられていることが好ましい。
【００１４】
本発明に基づくプレフィルドシリンジセットは、上記本発明に基づくシリンジセットと、薬剤とを備えている。上記本発明に基づくプレフィルドシリンジセットにおいては、上記プランジャが上記バレルに取付けられるとともに、上記弾性栓体が上記ノズル部に取付けられることにより、上記薬剤が、上記バレル内に密封された状態で充填されている。
【００１５】
上記本発明に基づくプレフィルドシリンジセットにあっては、上記カバー体が、上記弾性栓体にさらに取付けられていてもよい。
【００１６】
本発明に基づくシリンジ用キャップは、シリンジのバレルのノズル部に設けられた吐出口を閉塞することが可能なものであって、シリンジのバレルのノズル部に対して着脱自在に取付けが可能に構成された弾性部材からなる弾性栓体と、上記弾性栓体への取付けが可能に構成された硬質部材からなるカバー体とを含んでいる。上記弾性栓体は、シリンジのバレルのノズル部に取付けられた状態において、軸方向の一端においてシリンジのノズル部に設けられた吐出口を覆うことが可能な栓部と、上記栓部の外周面から外側に向けて突設された鍔部とを有している。上記カバー体は、上記弾性栓体に取付けられた状態において、上記栓部を取り囲む筒状部と、上記弾性栓体に取付けられた状態において、上記栓部の上記一端とは反対側に位置する他端を覆う底部とを有する有底筒状の部材からなる。上記筒状部には、上記カバー体が上記弾性栓体に取付けられた状態において、上記鍔部を係止する係止部が周方向に沿って複数設けられている。上記複数の係止部の各々は、上記筒状部に切り欠き部を形成することで上記筒状部の軸方向に沿って延在するように設けられることにより、上記筒状部の径方向において弾性変形可能に構成された片持ち梁部と、上記片持ち梁部の先端から上記筒状部の径方向内側に向けて立設されることにより、上記鍔部に掛かり止め可能に構成された爪部とを含んでいる。
【００１７】
本発明に基づくシリンジ用キャップのカバー体は、シリンジのバレルのノズル部に対して着脱自在に取付けが可能に構成された弾性部材からなる弾性栓体への取付けが可能に構成されたものであって、弾性栓体に取付けられた状態において、シリンジのバレルのノズル部に設けられた吐出口を軸方向の一端において覆うことが可能な弾性栓体の栓部を取り囲むことが可能な筒状部と、弾性栓体に取付けられた状態において、シリンジのバレルのノズル部に設けられた吐出口を覆うことが可能な栓部の軸方向の一端とは反対側に位置する栓部の軸方向の他端を覆うことが可能な底部とを有する硬質部材からなる有底筒状の部材からなる。上記筒状部には、弾性栓体に取付けられた状態において、弾性栓体の栓部の外周面から外側に向けて突設された鍔部を係止することが可能な係止部が周方向に沿って複数設けられている。上記複数の係止部の各々は、上記筒状部に切り欠き部を形成することで上記筒状部の軸方向に沿って延在するように設けられることにより、上記筒状部の径方向において弾性変形可能に構成された片持ち梁部と、上記片持ち梁部の先端から上記筒状部の径方向内側に向けて立設されることにより、弾性栓体の栓部の外周面から外側に向けて突設された鍔部に掛かり止め可能に構成された爪部とを含んでいる。
【発明の効果】
【００１８】
本発明によれば、製造コストを抑制しつつ各種の使用態様に適合させることができるシリンジ用キャップ、当該シリンジ用キャップに具備されるシリンジ用キャップのカバー体、当該シリンジ用キャップを備えたシリンジセット、および、当該シリンジ用キャップを備えたプレフィルドシリンジセットを提供することができる。
【図面の簡単な説明】
【００１９】
【図１】本発明の実施の形態に係る第１のシリンジセットを分解した状態を示す断面図である。
【図２】図１に示す第１のシリンジセットを用いて構成された本発明の実施の形態に係る第１のプレフィルドシリンジセットにおけるシリンジ用キャップの第１使用態様および第２使用態様を示す断面図である。
【図３】本発明の実施の形態に係るシリンジ用キャップの弾性栓体の斜視図である。
【図４】本発明の実施の形態に係るシリンジ用キャップの弾性栓体の側面図および断面図である。
【図５】本発明の実施の形態に係るシリンジ用キャップのカバー体の斜視図である。
【図６】本発明の実施の形態に係るシリンジ用キャップのカバー体の側面図、底面図および断面図である。
【図７】図２中に示す領域ＶＩＩＡおよび領域ＶＩＩＢの拡大図である。
【図８】図７に示すＶＩＩＩＡ−ＶＩＩＩＡ線およびＶＩＩＩＢ−ＶＩＩＩＢ線に沿った断面図である。
【図９】本発明の実施の形態に係るシリンジ用キャップの第１使用例における装着操作を示す模式図である。
【図１０】本発明の実施の形態に係るシリンジ用キャップの第２使用例における装着操作を示す模式図である。
【図１１】本発明の実施の形態に係るシリンジ用キャップの第１使用例および第２使用例における脱離操作を示す模式図である。
【図１２】図１に示す第１のシリンジセットに含まれるシリンジとは仕様の異なるシリンジを含む本発明の実施の形態に係る第２のシリンジセットを用いて構成された本発明の実施の形態に係る第２のプレフィルドシリンジセットにおけるシリンジ用キャップの第２使用態様を示す断面図である。
【発明を実施するための形態】
【００２０】
以下、本発明の実施の形態について、図を参照して詳細に説明する。なお、以下に示す実施の形態においては、同一のまたは共通する部分について図中同一の符号を付し、その説明は繰り返さない。また、以下において説明する各部の個数や形状、材質等は、特に記載がある場合を除き、これらの具体的な個数や形状、材質等に限定されるものではない。
【００２１】
図１は、本実施の形態に係る第１のシリンジセットを分解した状態を示す断面図である。まず、この図１を参照して、本実施の形態に係る第１のシリンジセット１Ａの構成について説明する。
【００２２】
図１に示すように、第１のシリンジセット１Ａは、バレル１０Ａおよびプランジャ２０Ａを含むシリンジと、弾性栓体３０およびカバー体４０を含むシリンジ用キャップとを備えている。
【００２３】
バレル１０Ａは、容器部１１と、容器部１１の前端に設けられたノズル部１２およびルアーロック部１４と、容器部１１の後端に設けられたフランジ部１３とを有している。一方、プランジャ２０Ａは、ロッド部２１と、ロッド部２１の後端に設けられたフランジ部２２と、ロッド部２１の前端に取付けられたガスケット２３とを有している。
【００２４】
容器部１１は、薬剤を充填するための部位であり、略円筒状の形状を有している。ノズル部１２は、バレル１０Ａ内に充填された薬剤を吐出するための部位であり、略円筒状の形状を有している。ルアーロック部１４は、バレル１０Ａに対して注射針を取付けるための部位であり、略円筒状の形状を有している。また、ルアーロック部１４は、ノズル部１２を取り囲むように位置している。
【００２５】
ノズル部１２の先端には、薬剤を吐出するための吐出口１２ａが設けられており、当該吐出口１２ａは、バレル１０Ａの先端に注射針が取付けられた状態において注射針の針管に接続される。ルアーロック部１４の内周面には、注射針の後端に設けられた針基を螺合させるための雄ネジ１４ａ（図７等参照）が設けられており、当該雄ネジ１４ａに針基が螺合させられることで注射針がバレル１０Ａの先端に取付けられる。なお、フランジ部１３は、注射操作の際にプランジャ２０Ａをバレル１０Ａに押し込むために手指が掛けられる部位である。
【００２６】
ロッド部２１は、バレル１０Ａ内に向けて押し込まれることで薬剤を上述した吐出口１２ａから外部に吐出させるためのものであり、略棒状の形状を有している。ガスケット２３は、バレル１０Ａ内を液密に封止する部位であり、ロッド部２１の先端に設けられたカプラを覆う有底筒状の形状を有している。また、ガスケット２３は、ロッド部２１の押し込みに際して容器部１１内を摺動することにより、薬剤を吐出口１２ａに向けて押し進めるための部位でもある。なお、フランジ部２２は、注射操作の際にプランジャ２０Ａをバレル１０Ａに押し込むために手指が掛けられる部位である。
【００２７】
弾性栓体３０は、たとえばブチルゴム、ハロゲン化ブチルゴム（塩素化ブチルゴム、臭素化ブチルゴム）、熱可塑性エラストマー等に代表される弾性部材にて構成されており、バレル１０Ａのノズル部１２に着脱自在に取付けが可能なものである。弾性栓体３０は、バレル１０Ａのノズル部１２に取付けられた状態においてノズル部１２の先端に設けられた吐出口１２ａを閉塞するものであり、これによりバレル１０Ａ内を液密に封止する。
【００２８】
カバー体４０は、たとえばポリプロピレン樹脂、ポリエチレン樹脂、シクロオレフィンポリマー樹脂、アクリロニトリル・ブタジエン・スチレン共重合合成樹脂、ポリカーボネート樹脂等に代表される硬質部材にて構成されており、弾性栓体３０に取付けが可能なものである。カバー体４０は、弾性栓体３０に取付けられた状態において弾性栓体３０を覆う有底筒状の形状を有している。
【００２９】
なお、弾性栓体３０およびカバー体４０からなるシリンジ用キャップの詳細な構造については、後述することとする。
【００３０】
図２（Ａ）および図２（Ｂ）は、それぞれ図１に示す第１のシリンジセットを用いて構成された本実施の形態に係る第１のプレフィルドシリンジセットにおけるシリンジ用キャップの第１使用態様および第２使用態様を示す断面図である。次に、この図２を参照して、本実施の形態に係る第１のプレフィルドシリンジセット１００Ａにおけるシリンジ用キャップの第１使用態様および第２使用態様について説明する。
【００３１】
図２（Ａ）に示すように、第１使用態様においては、図１に示すシリンジ用キャップのうちの弾性栓体３０のみが単独でバレル１０Ａのノズル部１２に取付けられることで第１のプレフィルドシリンジセット１００Ａが構成されている。この場合、カバー体４０は、図２（Ａ）においては図示を省略しているが、付属品として第１のプレフィルドシリンジセット１００Ａに付帯されることになる。
【００３２】
図２（Ａ）に示す第１使用態様においては、プランジャ２０Ａがバレル１０Ａに取付けられるとともに、弾性栓体３０がバレル１０Ａのノズル部１２に取付けられることにより、バレル１０Ａ内に充填された薬剤１０１が、当該バレル１０Ａ内において密封された状態とされている。
【００３３】
当該第１使用態様においては、図２（Ａ）に示す状態のまま第１のプレフィルドシリンジセット１００Ａが保管されて、その後、弾性栓体３０が取り外されて注射の用に供されてもよいし、必要に応じてカバー体４０が弾性栓体３０に取付けられて第１のプレフィルドシリンジセット１００Ａが保管され、その後、弾性栓体３０およびカバー体４０を含むシリンジ用キャップが取り外されて注射の用に供されてもよい。
【００３４】
図２（Ｂ）に示すように、第２使用態様においては、図１に示すシリンジ用キャップのうちの弾性栓体３０がバレル１０Ａのノズル部１２に取付けられるとともに、当該弾性栓体３０を覆うようにシリンジ用キャップのうちの残るカバー体４０が弾性栓体３０に取付けられることで第１のプレフィルドシリンジセット１００Ａが構成されている。
【００３５】
図２（Ｂ）に示す第２使用態様においては、上述した第１使用態様の場合と同様に、プランジャ２０Ａがバレル１０Ａに取付けられるとともに、弾性栓体３０がバレル１０Ａのノズル部１２に取付けられることにより、バレル１０Ａ内に充填された薬剤１０１が、当該バレル１０Ａ内において密封された状態とされている。
【００３６】
当該第２使用態様においては、図２（Ｂ）に示す状態のまま第１のプレフィルドシリンジセット１００Ａが保管されて、その後、弾性栓体３０およびカバー体４０を含むシリンジ用キャップが取り外されて注射の用に供されることになる。
【００３７】
このように、本実施の形態に係る第１のシリンジセット１Ａおよびこれを用いた第１のプレフィルドシリンジセット１００Ａの如くの構成を採用することにより、弾性栓体３０のみがシリンジのバレル１０Ａに取付けられた状態とされる使用例のみならず、予め弾性栓体３０のみがシリンジのバレル１０Ａに取付けられた状態とされ、その後に必要に応じてカバー体４０が弾性栓体３０に取付けられるといったような使用例や、当初より弾性栓体３０およびカバー体４０を含むシリンジ用キャップがシリンジのバレル１０Ａに取付けられた状態とされる使用例など、様々な使用態様に適合したものとすることができる。
【００３８】
図３（Ａ）および図３（Ｂ）は、本実施の形態に係るシリンジ用キャップの弾性栓体の斜視図であり、図４（Ａ）は、側面図、図４（Ｂ）は、断面図である。また、図５（Ａ）および図５（Ｂ）は、本実施の形態に係るシリンジ用キャップのカバー体の斜視図であり、図６（Ａ）は、側面図、図６（Ｂ）は、底面図、図６（Ｃ）は、断面図である。次に、これら図３ないし図６を参照して、本実施の形態に係るシリンジ用キャップの弾性栓体３０およびカバー体４０の構造について詳細に説明する。
【００３９】
図３および図４に示すように、弾性栓体３０は、軸方向の一端に凹部３１ａが設けられた略円柱状の形状を有する栓部３１と、当該栓部３１の外周面から外側に向けて突設された鍔部３２とを有している。鍔部３２は、栓部３１の上記凹部３１ａが設けられた一端とは反対側に位置する他端の外周面上に設けられている。
【００４０】
栓部３１の上記一端は、弾性栓体３０がバレル１０Ａのノズル部１２に取付けられた状態において、当該一端に設けられた凹部３１ａによってノズル部１２を受け入れることにより、ノズル部１２の先端に設けられた吐出口１２ａを閉塞する部位である。一方、栓部３１の上記他端に設けられた鍔部３２は、カバー体４０が弾性栓体３０に取付けられた状態において、後述するカバー体４０の係止部によって係止される部位である。
【００４１】
図５および図６に示すように、カバー体４０は、略筒状の形状を有する筒状部４１と、当該筒状部４１の一端を閉塞する底部４２とを有しており、筒状部４１の他端は、開口端４３として開放されている。筒状部４１には、片持ち梁部４４および爪部４４ａからなる係止部が設けられている。
【００４２】
片持ち梁部４４は、筒状部４１の所定位置に略コ字状の切り欠き部４１ｂを形成することで筒状部４１の軸方向に沿って延在するように設けられており、これにより片持ち梁部４４は、筒状部４１の径方向において弾性変形（撓み変形）することができるように構成されている。片持ち梁部４４の根元側の部分は、上述した筒状部４１の開口端４３側に位置しており、片持ち梁部４４の先端側の部分は、上述した筒状部４１の底部４２側に位置している。
【００４３】
一方、爪部４４ａは、片持ち梁部４４の先端から筒状部４１の径方向内側に向けて立設されており、これにより、爪部４４ａは、カバー体４０が弾性栓体３０に取付けられた状態において、上述した弾性栓体３０に設けられた鍔部３２に掛かり止め可能に構成されている。
【００４４】
なお、片持ち梁部４４および爪部４４ａからなる係止部は、筒状部４１の周方向に沿って複数設けられる。好適には、図示するように筒状部４１の周方向に沿って均等に４つ設けられるが、複数設けられていれば特にその数が制限されるものではない。
【００４５】
また、筒状部４１の外周面上の所定位置には、周方向に沿って延びる溝部４１ａが複数設けられている。当該複数の溝部４１ａは、カバー体４０を手指で保持した際に手指とカバー体４０との間でスリップが生じてしまうことを防止するためのものである。当該複数の溝部４１ａは、図示するように複数の係止部の各々を取り囲むように形成されていることが好ましい。
【００４６】
筒状部４１の内周面上の所定位置には、筒状部４１の軸方向に沿って延在する突条部４５が設けられている。より詳細には、突条部４５は、筒状部４１の周方向において隣り合って位置する一対の係止部間に位置する部分の筒状部４１の内周面上の位置に設けられており、筒状部４１の底部４２側の端部近傍から開口端４３側の端部近傍にまで至るように延在している。
【００４７】
突条部４５は、筒状部４１の底部４２側に位置する底部側突起部４５ａと、筒状部４１の開口端４３側に位置する開口端側突起部４５ｂとを含んでおり、これら底部側突起部４５ａと開口端側突起部４５ｂとが連続するように形成されることで突条の形状を有している。
【００４８】
底部側突起部４５ａは、カバー体４０が弾性栓体３０に取付けられた状態において、弾性栓体３０の鍔部３２の外周面に当接する第１突起部に該当する。そのため、底部側突起部４５ａは、カバー体４０が弾性栓体３０に取付けられた状態において、弾性栓体３０の鍔部３２の外周面に当接することとなるように、その突出高さが調整されて設定されている。
【００４９】
開口端側突起部４５ｂは、カバー体４０が弾性栓体３０に取付けられた状態において、バレル１０Ａのルアーロック部１４の外周面に当接して配置されるかまたは接近して配置される第２突起部に該当する。ここで、本実施の形態においては、開口端側突起部４５ｂが、カバー体４０が弾性栓体３０に取付けられた状態において、バレル１０Ａのルアーロック部１４の外周面に接近して配置されることとなるように、その突出高さが調整されて設定されている。
【００５０】
なお、突条部４５は、筒状部４１の周方向に沿って複数設けられる。好適には、図示するように上述した一対の係止部間に位置する部分の筒状部４１の内周面上にそれぞれ２つずつ合計８つ設けられるが、複数設けられていれば特にその数が制限されるものではない。
【００５１】
図７（Ａ）は、図２（Ａ）中に示す領域ＶＩＩＡの拡大図であり、図７（Ｂ）は、図２（Ｂ）中に示す領域ＶＩＩＢの拡大図である。また、図８（Ａ）および図８（Ｂ）は、それぞれ図７に示すＶＩＩＩＡ−ＶＩＩＩＡ線およびＶＩＩＩＢ−ＶＩＩＩＢ線に沿った断面図である。次に、これら図７および図８を参照して、上述した第１使用態様および第２使用態様におけるバレル１０Ａのノズル部１２近傍における構成について説明する。
【００５２】
図７（Ａ）に示すように、シリンジ用キャップのうちの弾性栓体３０のみが単独でバレル１０Ａのノズル部１２に取付けられることで第１のプレフィルドシリンジセット１００Ａが構成された第１使用態様においては、バレル１０Ａのノズル部１２の先端が栓部３１の凹部３１ａに挿入されることにより、ノズル部１２の先端面が栓部３１に設けられた凹部３１ａの底面に当接し、かつ、前記ノズル部１２の先端側の外周面が栓部３１に設けられた凹部３１ａの内壁面に当接する。これにより、ノズル部１２の先端に設けられた吐出口１２ａが弾性栓体３０によって閉塞されることになる。なお、当該第１使用態様においては、栓部３１の凹部３１ａが設けられた側の一端は、ノズル部１２とルアーロック部１４との間に介挿されることになる。
【００５３】
一方、図７（Ｂ）に示すように、シリンジ用キャップのうちの弾性栓体３０がバレル１０Ａのノズル部１２に取付けられるとともに、当該弾性栓体３０を覆うようにシリンジ用キャップのうちの残るカバー体４０が弾性栓体３０に取付けられることで第１のプレフィルドシリンジセット１００Ａが構成された第２使用態様においては、上述した第１使用態様の場合と同様に、バレル１０Ａのノズル部１２の先端が栓部３１の凹部３１ａに挿入されることにより、ノズル部１２の先端に設けられた吐出口１２ａが弾性栓体３０によって閉塞されることになるとともに、さらに、弾性栓体３０が、カバー体４０によって覆われる。
【００５４】
ここで、弾性栓体３０の栓部３１は、カバー体４０の筒状部４１によって取り囲まれた状態にあり、弾性栓体３０の凹部３１ａが設けられた一端とは反対側に位置する他端は、カバー体４０の底部４２に当接するとともに当該底部４２によって覆われた状態にある。さらに、弾性栓体３０の鍔部３２は、その軸方向においてカバー体４０の底部４２と爪部４４ａとによって挟み込まれた状態にある。したがって、カバー体４０の爪部４４ａは、弾性栓体３０の鍔部３２に掛かり止めされた状態にあることになる。
【００５５】
また、図８（Ａ）に示すように、上記第２使用状態においては、カバー体４０に設けられた突条部４５のうちの底部側突起部４５ａが、弾性栓体３０の鍔部３２の外周面に食い込むように当接している。上述したように、底部側突起部４５ａは、筒状部４１の周方向において複数設けられているため、弾性栓体３０は、これら複数の底部側突起部４５ａによって内側に向けて押圧された状態にある。したがって、弾性栓体３０は、当該複数の底部側突起部４５ａの押圧により、カバー体４０によって相当程度強固に保持された状態にあり、これによりカバー体４０にがたつきが発生することが防止されている。
【００５６】
さらに、図８（Ｂ）に示すように、上記第２使用状態においては、カバー体４０に設けられた突条部４５のうちの開口端側突起部４５ｂが、バレル１０Ａのルアーロック部１４の外周面に接近した状態で配置されている。上述したように、開口端側突起部４５ｂは、筒状部４１の周方向において複数設けられているため、ルアーロック部１４は、これら複数の開口端側突起部４５ｂに取り囲まれた状態にある。したがって、当該複数の開口端側突起部４５ｂがルアーロック部１４の外周面に接近した状態となるように配置されることにより、カバー体４０にがたつきが発生することが抑制されている。なお、さらなるカバー体４０のがたつきを防止するためには、当該複数の開口端側突起部４５ｂがルアーロック部１４の外周面に当接するように構成されていてもよい。
【００５７】
図９は、本実施の形態に係るシリンジ用キャップの第１使用例における装着操作を示す模式図であり、図１０は、第２使用例における装着操作を示す模式図である。また、図１１は、本実施の形態に係るシリンジ用キャップの第１使用例および第２使用例における脱離操作を示す模式図である。次に、これら図９ないし図１１を参照して、本実施の形態に係るシリンジ用キャップのカバー体４０の第１使用例および第２使用例における装着操作と、当該第１使用例および第２使用例における脱離操作について説明する。
【００５８】
図９に示す第１使用例における装着操作は、シリンジ用キャップのうちの弾性栓体３０のみが単独でバレル１０Ａのノズル部１２に取付けられることで第１のプレフィルドシリンジセット１００Ａが構成された第１使用態様において、これにさらにシリンジ用キャップのうちの残るカバー体４０を装着させる際の操作である。
【００５９】
図９に示すように、当該第１使用例における装着操作においては、カバー体４０の筒状部４１が手指（不図示）によって保持された状態とされ、この状態においてカバー体４０の開口端４３がバレル１０Ａのノズル部１２に取付けられた弾性栓体３０に面するようにその向きが調整された上で、カバー体４０が当該弾性栓体３０に被さるように取付けられる。
【００６０】
このとき、弾性栓体３０の鍔部３２は、カバー体４０の開口端４３を通過することでカバー体４０の内部に収容されることになり、さらにその後、鍔部３２の上端が、カバー体４０の係止部の爪部４４ａに接触することになる。ここで、上述したように、爪部４４ａは、筒状部４１に設けられた片持ち梁部４４の先端に位置しているため、当該接触により、片持ち梁部４４は、筒状部４１の径方向外側に向けて撓み変形することになり、これに伴い、爪部４４ａは、径方向外側に向けて後退することになる。そのため、鍔部３２は、爪部４４ａを乗り越えてカバー体４０の底部４２側へと移動する。
【００６１】
その後、鍔部３２が爪部４４ａを完全に乗り越えることにより、爪部４４ａが鍔部３２に接触することによる片持ち梁部４４の撓み変形が解除され、これによって片持ち梁部４４が元の形状に復帰することになる。これにより、鍔部３２が、その軸方向においてカバー体４０の底部４２と爪部４４ａとによって挟み込まれた状態になり、カバー体４０の弾性栓体３０に対する取付けが完了する。
【００６２】
このように、本実施の形態に係るシリンジ用キャップとすることにより、予め弾性栓体３０のみがシリンジのバレル１０Ａに取付けられた状態において後からカバー体４０を取付けることが可能になり、さらには、その取付けを無理なくスムーズに行なうことができるとともに、取付け後にカバー体４０が弾性栓体３０から脱落してしまうことが未然に防止できることになる。なお、図示するように爪部４４ａの開口端４３側に位置する面を傾斜面にて構成しておくことにより、さらに無理なくスムーズにカバー体４０を弾性栓体３０に取付けることが可能になる。
【００６３】
図１０に示す第２使用例における装着操作は、予め弾性栓体３０にカバー体４０を取付けておき、この状態においてシリンジ用キャップをバレル１０Ａのノズル部１２に取付ける際の操作である。なお、弾性栓体３０に対するカバー体４０の取付けは、上述した第１使用例の場合に準じて行なわれる。
【００６４】
図１０に示すように、当該第２使用例における装着操作においては、カバー体４０の筒状部４１が手指（不図示）によって保持された状態とされ、この状態においてカバー体４０が取付けられた弾性栓体３０の栓部３１に設けられた凹部３１ａがバレル１０Ａのノズル部１２に面するようにシリンジ用キャップの向きが調整された上で、シリンジ用キャップがノズル部１２に被さるように取付けられる。
【００６５】
このとき、弾性栓体３０は、手指によって保持されることがない。そのため、カバー体４０が弾性栓体３０よりも硬質である分、弾性栓体３０のみを手指で保持してノズル部１２に取付ける場合に比べてその操作がよりスムーズに行なえる。
【００６６】
図１１に示す第１使用例および第２使用例における脱離操作は、上述した第１使用例および第２使用例における装着操作が行なわれた後の状態において、バレル１０Ａのノズル部１２に取付けられたシリンジ用キャップを当該ノズル部１２から取り外す際の操作である。
【００６７】
図１１に示すように、当該第１使用例および第２使用例における脱離操作においては、カバー体４０の筒状部４１が手指（不図示）によって保持された状態とされ、この状態においてカバー体４０がバレル１０Ａから遠ざかる方向に向けて引き離されることによってシリンジ用キャップがノズル部１２から取り外される。その際、上述したように、カバー体４０の爪部４４ａが弾性栓体３０の鍔部３２に掛かり止めされた状態にあるため、当該鍔部３２が爪部４４ａに当接することにより、弾性栓体３０もバレル１０Ａから遠ざかる方向に向けて引き離されることになり、カバー体４０が弾性栓体３０から外れることはない。
【００６８】
このとき、弾性栓体３０は、手指によって保持されることがない。そのため、弾性栓体３０を直接手指で持つ必要がなくなるため、シリンジ用キャップの取り外しの際に薬剤１０１が手指に付着してしまうことが防止できる。さらには、カバー体４０が弾性栓体３０よりも硬質である分、弾性栓体３０のみを手指で保持してノズル部１２から取り外す場合に比べてその操作がよりスムーズに行なえる。さらには、カバー体４０の筒状部４１のうちの係止部が設けられた部分を手指で把持した場合には、片持ち梁部４４が内側に向けて弾性変形（撓み変形）することによって爪部４４ａが筒状部４１の径方向内側に向けて移動することになり、当該爪部４４ａが弾性栓体３０の栓部３１の外周面に当接して喰い込むことにより、より安定的にシリンジ用キャップを取り外すこともできる。
【００６９】
図１２は、図１に示す第１のシリンジセットに含まれるシリンジとは仕様の異なるシリンジを含む本実施の形態に係る第２のシリンジセットを用いて構成された本実施の形態に係る第２のプレフィルドシリンジセットにおけるシリンジ用キャップの第２使用態様を示す断面図である。次に、この図１２を参照して、本実施の形態に係る第２のシリンジセット１Ｂおよびこれを用いて構成された本実施の形態に係る第２のプレフィルドシリンジセット１００Ｂについて説明する。
【００７０】
図１２に示すように、第２のシリンジセット１Ｂは、上述した第１のシリンジセット１Ａに含まれるシリンジとは仕様の異なるシリンジと、上述した第１のシリンジセット１Ａに含まれるシリンジ用キャップと同様の仕様のシリンジ用キャップとを備えている。第２のシリンジセット１Ｂに含まれるシリンジは、上述した第１のシリンジセット１Ａに含まれるシリンジのバレル１０Ａが具備していたルアーロック部１４を具備しないバレル１０Ｂと、プランジャ２０Ｂとによって構成されている。
【００７１】
ここで、バレル１０Ｂのノズル部１２の形状およびサイズは、上述した第１のシリンジセット１Ａに含まれるシリンジのバレル１０Ａのそれらと合致するように構成されており、これにより上述した第１のシリンジセット１Ａに含まれるシリンジ用キャップと同様の仕様のシリンジ用キャップをバレル１０Ｂのノズル部１２に取付けられるシリンジ用キャップとして使用することができる。
【００７２】
当該第２のシリンジセット１Ｂを用いて構成された第２のプレフィルドシリンジセット１００Ｂは、上述した第１のシリンジセット１Ａを用いて構成された第１のプレフィルドシリンジセット１００Ａと同様に、シリンジ用キャップのうちの弾性栓体３０のみが単独でバレル１０Ｂのノズル部１２に取付けられることで第２のプレフィルドシリンジセット１００Ｂが構成された第１使用態様として利用することもできれば、図１２に示すように、シリンジ用キャップのうちの弾性栓体３０がバレル１０Ｂのノズル部１２に取付けられるとともに、当該弾性栓体３０を覆うようにシリンジ用キャップのうちの残るカバー体４０が弾性栓体３０に取付けられることで第２のプレフィルドシリンジセット１００Ｂが構成された第２使用態様として利用することもできる。
【００７３】
なお、当該第２のシリンジセット１Ｂおよびこれを用いて構成された第２のプレフィルドシリンジセット１００Ｂにおける各種の使用例やその装着操作および脱離操作は、上述した第１のシリンジセット１Ａおよびこれを用いて構成された第１のプレフィルドシリンジセット１００Ａにおけるそれらと基本的に同様であるため、ここではその説明を繰り返さない。
【００７４】
以上において説明したように、本実施の形態の如くの構成を採用することにより、上述したような各種の使用態様のすべてに適合したものとすることができる。そのため、使用の観点から見た場合には、従来に比して大幅に利便性に優れたものとすることができる。
【００７５】
一方、本実施の形態の如くの構成を採用することにより、共通の部品として弾性栓体やカバー体の設計を予め行なっておくことができ、これにより、製品種毎に当該共通の部品の組付けの有無や付属品としての付帯の有無を選択することで各種の使用態様に適した製品ラインアップを容易に構築することが可能になる。そのため、製造の観点から見た場合には、部品の融通性が向上するばかりでなく、製造コストを大幅に削減することもできる。
【００７６】
したがって、上述した本実施の形態に係るシリンジ用キャップ、当該シリンジ用キャップに具備されるシリンジ用キャップのカバー体、当該シリンジ用キャップを備えたシリンジセット、および、当該シリンジ用キャップを備えたプレフィルドシリンジセットとすることにより、製造コストを抑制しつつ各種の使用態様に適合させることが可能になる。
【００７７】
今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００７８】
１Ａ，１Ｂ  シリンジセット、１０Ａ，１０Ｂ  バレル、１１  容器部、１２  ノズル部、１２ａ  吐出口、１３  フランジ部、１４  ルアーロック部、１４ａ  雄ネジ、２０Ａ，２０Ｂ  プランジャ、２１  ロッド部、２２  フランジ部、２３  ガスケット、３０  弾性栓体、３１  栓部、３１ａ  凹部、３２  鍔部、４０  カバー体、４１  筒状部、４１ａ  溝部、４１ｂ  切り欠き部、４２  底部、４３  開口端、４４  片持ち梁部、４４ａ  爪部、４５  突条部、４５ａ  底部側突起部、４５ｂ  開口端側突起部、１００Ａ，１００Ｂ  プレフィルドシリンジセット、１０１  薬剤。
【図１】
2015167618.tif 000003
【図２】
2015167618.tif 000004
【図３】
2015167618.tif 000005
【図４】
2015167618.tif 000006
【図５】
2015167618.tif 000007
【図６】
2015167618.tif 000008
【図７】
2015167618.tif 000009
【図８】
2015167618.tif 000010
【図９】
2015167618.tif 000011
【図１０】
2015167618.tif 000012
【図１１】
2015167618.tif 000013
【図１２】
2015167618.tif 000014